(57)【特許請求の範囲】
【請求項１】
ラッチ９をフロント面に収没させるレバー状の操作部材１０を有するドア本体３と、このドア本体の開口部５に一体的に組込まれた救助用中扉４とから成り、前記救助用中扉４は、平常時にはドア本体並びに救助用中扉４にそれぞれ設けられた係合手段６を介して一体的に係合し、一方緊急時には、係合手段６の係合状態を解除し、また操作部材１０をバネ部材１３のバネ力に抗して脱衣室側へと水平回転させたうえで開放し、前記バネ部材１３は、ドア本体３の取付け受け座１１に突出形成された角型嵌合口部１７に嵌合する操作部材１０の回転部２２内にラッチ９用の駆動片３０と共に組込まれ、さらに、平常時に於いて、操作部材１０が脱衣室側に回転しないように前記嵌合口部１７に操作部材１０の突起板２１と当接するストッパー片５０が摺動可能に設けられていることを特徴とする緊急事態用浴室ドア。
【請求項２】
請求項１に於いて、ストッパー片５０は、上下に係合爪片５２、５２を有する端面リップミゾ形状の弾性係脱部材であり、取付け受け座１１の嵌合口部１７に設けた係合部２０に対して係脱自在であることを特徴とする緊急事態用浴室ドア。
【請求項３】
請求項１に於いて、ストッパー片５０Ａは、取付け受け座１１の嵌合口部１７Ａに設けられかつ小バネ６１により常時係合方向に付勢された係合部材２０Ａと係脱することを特徴とする緊急事態用浴室ドア。
【発明の詳細な説明】
【０００１】
【発明の属する技術分野】
本発明は緊急事態用浴室ドアに関する。ここで緊急事態とは、例えば浴室内で人が倒れた場合を言う。このような場合本発明の緊急事態用浴室ドアは、ドア本体から救助用中扉を開放することができる。
【０００２】
【従来の技術】
従来の一例としては、特開平６−３０７１６９号公報に記載の緊急脱出扉付き浴室ドアがある。この公報記載の浴室ドアは、レバーハンドルを有するドア本体と、このドア本体に一体的に組込まれた緊急脱出ドアとから成り、前記緊急脱出ドアは、まず緊急時に非常用解錠装置の操作部材を操作し、ドア本体と緊急脱出ドアとの係合を常に保持している係合手段を解除する。ドア本体と緊急脱出ドアを一体的に結合している係合手段は、ドア本体の縦框に沿って固定的に設けられた端面ハット型の被係合部材と、この被係合部材の凹所にバネ部材のバネ力により常時圧接係合するように付勢され、かつ、緊急脱出ドアの縦縁部に取付けられた突起状係合部材とから成る。
【０００３】
そこで、凹所側の被係合部材と凸側の係合部材との係合は、ドア本体側に備えられた非常用解錠装置の操作部材によって係合解除される訳であるが、この係合解除は、ドア本体の外壁面から突出する操作つまみを有する長板片状操作部材を縦方向へと移動操作すると、その解除レバーの先端部が緊急脱出ドアの係合部材をバネ部材のバネ力に抗して係合解除の方向（見付け方向）へと押圧する。
【０００４】
次に係合手段の係合を解除したならば、緊急脱出ドアを浴室ドアの幅方向へとスライド移動させ、さらに、緊急脱出ドアを縦軸を介してドア本体から脱衣室側へと回転開放させる。したがって、次に列挙するような問題点があった。
▲１▼縦框に対する緊急脱出ドアの「がたつき」を防止することができる利点を有するが、係合手段はその構成する部品点数が多く、また非常用解錠装置の解除レバーとの当接関係も考慮しなければならない。
▲２▼非常用解錠装置を構成する部品点数も多い。例えば縦框に対してドアの奥行き方向に合わせられるサッシ状支持部材、この支持部材の窓孔から水平軸を介して先端部が突出する解除部材、この解除部材の内端部を軸支する長板片状操作部材、この操作部材の適宜箇所に設けられた操作用摘み等が必要である。そして、これらの各部材をドア本体の縦枠に取付けなければ成らない。したがって、ドア本体及び緊急脱出ドアの奥行き（見込み幅）の縁部が拡大化する。
▲３▼緊急脱出ドアをそのまま開放すると、ドア本体のレバーハンドルが邪魔になる。そこで、レバーハンドルとの衝突を回避するために緊急脱出ドアをスライド型に構成している。そのため緊急脱出ドアに複雑なスライド機構を設けている。
【０００５】
【発明が解決しようとする課題】
本発明は以上のような従来の欠点に鑑み、第１の目的は、緊急時に係合手段の係合状態を解除させた救助用中扉を、そのままの位置から脱衣室側に水平回転させて開放することができることである。この場合ドア本体のレバー状操作部材が邪魔にならないことである。第２の目的は、平常時に操作部材を中扉側にプッシュするとラッチが操作部材の連動してフロント面に収没し、一方、緊急事態発生時に操作部材の回転量規制用ストッパー片を手動で操作（スライド）した後に操作部材を脱衣室側にプル（引き寄せ）すると、ラッチが操作部材に連動しないで、操作部材のみが水平回転することである。第３の目的は、レバー状操作部材を簡単にドア本体の取付け受け座に組込むことができると共に、操作部材をいずれの方向（中扉側と脱衣室側）にそれぞれ水平回転（プッシュとプル）させてもバネ部材のバネ力により浴室ドアの外壁面に対向する位置へと復帰することである。第４の目的は、平常時には操作部材が脱衣室側に回転せず、一方、緊急時には直ちに操作部材の前記回転規制の解消を図ることができることである。
【０００６】
【課題を解決するための手段】
本発明の緊急事態用浴室ドアは、ラッチ９をフロント面に収没させるレバー状の操作部材１０を有するドア本体３と、このドア本体の開口部５に一体的に組込まれた救助用中扉４とから成り、前記救助用中扉４は、平常時にはドア本体並びに救助用中扉４にそれぞれ設けられた係合手段６を介して一体的に係合し、一方緊急時には、係合手段６の係合状態を解除し、また操作部材１０をバネ部材１３のバネ力に抗して脱衣室側へと水平回転させたうえで開放し、前記バネ部材１３は、ドア本体３の取付け受け座１１に突出形成された角型嵌合口部１７に嵌合する操作部材１０の回転部２２内にラッチ９用の駆動片３０と共に組込まれ、さらに、平常時に於いて、操作部材１０が脱衣室側に回転しないように前記嵌合口部１７に操作部材１０の突起板２１と当接するストッパー片５０が摺動可能に設けられていることを特徴とする。
【０００７】
【発明の実施の形態】
図１乃至図１２に示す第１実施例の緊急事態用浴室ドアＸについて説明する。まず、図１を参照に浴室ドアＸの実施形態を簡単に説明する。符号Ａは浴室、Ｂは脱衣室、１はドア用枠、Ｘは枢軸２を介して前記ドア用枠１に開放自在に取付けられた緊急事態（救出）用浴室ドアである。
【０００８】
普通一般に浴室ドアは、浴室Ａ側に開放する。したがって、浴室Ａ内で人が倒れた緊急事態発生の場合には、図１の仮想線で示すように、浴室ドアＸを浴室Ａ側に開いて人を助け出さなければならない。本発明の浴室ドアＸも、もちろん浴室Ａ側に開放するので、普通一般の浴室ドアと同様に浴室ドアＸを浴室Ａ側に開き、倒れた人を助け出すことができる。
【０００９】
次に本発明の浴室ドアＸの構成について詳しく説明する。この浴室ドアＸは、基本的には、ドア本体３と、このドア本体に一体的に組み込まれた救助用中扉４と、平常時この救助用中扉が前記ドア本体から外れないように一体化させる係合手段６と、ラッチ９をドア本体のフロント面から収没させる操作部材１０と、この操作部材を常態の位置へ復帰させるバネ部材１３と、平常時に於いて、操作部材１０が脱衣室側に回転しないように取付け受け座１１の嵌合口部１７の係合部２０に摺動自在に設けられた上下の係合爪片５２、５２を有するストッパー片５０とから成る。
【００１０】
そこで、これらの基本的構成部材について順番に説明する。まずドア本体３について説明する。ドア本体３はアルミニュームで、いわゆる矩形枠（サッシ）状に形成されている。図１を基準にすると、３ａは上框、３ｂは下框、３ｃはラッチ側の縦框、３ｄは枢軸２或いは蝶番側の縦框である。矩形枠状のドア本体３は、水が脱衣室Ｂ側に飛散しないように下枠１ａや縦枠１ｂで規制されている。
【００１１】
したがって、ドア本体３は浴室Ａ側に開放可能であるが、脱衣室Ｂ側には開放することができない。そこで、ドア本体３を普通一般の浴室ドアと同様に浴室Ａ側に開放しようとする場合に於いて、人が倒れた状況如何（例えば浴室ドアに当たっている。）によってはドア本体３の開放が非常に困難、或いはドア本体３の開放が人体に対する危険性を含み、次に説明する救助用中扉４を脱衣室Ｂ側に開放する必要性が生じる。
【００１２】
救助用中扉４は、ドア本体３と同一垂直面になるように開口部５内に一体的に組込まれている。この救助用中扉４は、浴室Ａ内で倒れた人（例えば老人）を容易に救出することができるように、やや大きめに形成されている。この中扉４は、そのままドア本体３から完全に分離することができるように矩形枠状ドア本体３に組込んでも良いが、本実施例では図１の仮想線で示すように外方向（脱衣室Ｂ側）に回転開放する。したがって、中扉４は、ドア本体３に枢着する組立て前は、ドア本体３に対して独立した物品である。４ａは中扉４の側端部付近の外壁面に組込んだ把手である。
【００１３】
次に平常時中扉４がドア本体３から外れないように一体化させる係合手段６について説明する。この係合手段６は、図１で示すように浴室ドアＸの上下に一組設けられている。すなわち、７はドア本体３に一端部が軸支されたバー状の係止片、一方、８は中扉４の外壁面に突出状態に固定された鉤状の係合受け片である。本実施例のように係合手段６が浴室ドアＸの外壁面から突出する場合には、図示しないカバーを設けるのが望ましい。この点外観上の理由から係合手段６の突出を極力避けたい場合には、例えば操作摘み部がドア本体３の外壁面から突出するバー状係止片７をドア本体３の縦框３ｃ内に回転自在に組込み、一方、中扉４の側端部にバー状係止片７の自由端部が係合する係合凹所を形成すれば良い。或いはまた係止片７を水平方向に移動する出没自在なスライド部材に構成し、該スライド部材のテーパー状突出先端部が常時中扉４側の係合凹所に係合するように図示しない付勢バネを縦框３ｃに内設しても良い。要は平常時に於いて、中扉４がドア本体３から簡単に開放しなければ良い。
【００１４】
次に図２乃至図５を参照にレバー状の操作部材１０について説明する。この操作部材１０は、ドア本体３の縦框３ｃの中央部に固定された取付け受け座１１に垂直軸１２を介して水平方向に回転可能に軸支され、かつ、取付け受け座１１と操作部材１０との組合わせ部分に内装されたバネ部材１３により、長板状操作部１０ａが常に浴室ドアＸの外壁面に対向する位置へと復帰する。
【００１５】
本発明の操作部材１０は、長板状操作部１０ａを中扉４の外壁面側に押圧すると、ラッチ９がフロント面より収没し、一方、長板状操作部１０ａから手を離すと、操作部材１０は前記バネ部材１３のバネ力により復帰すると共に、ラッチ９がラッチバネ４１のバネ力によりフロント面から突出する。この点ラッチ９は、普通一般のレバーハンドルと同様に操作部材１０の作動に連動する。
【００１６】
また操作部材１０は、緊急時に、まず取付け受け座１１の嵌合口部１７の係合部２０に係合するストッパー片５０を取付け受け座１１側へと水平方向にスライドさせ、次にドア本体３と中扉４との係止手段６の係合を解き、前記中扉４を脱衣室Ｂ側に開放すると、その障害にならないように脱衣室Ｂ側に水平回転する。この時ドア本体３のラッチ９は、操作部材１０の水平回転に連動（収没）しない。そして、長板状操作部１０ａから手を離すと、操作部材１０は前記バネ部材１３のバネ力により元の位置へと復帰する。
【００１７】
そこで、本発明の操作部材１０に関連する部材並びに操作部材１０についてさらに説明する。まず取付け受け座１１の構成である。取付け受け座１１は、図４で示すように長座型のものが用いられている。すなわち、１５は縦長状の取付け基板部で、この取付け基板部１５の上下には、一対の固着具用小孔１６が形成されている。１７は取付け基板部１５の中央部に連設形成された角型の嵌合（口）部で、この嵌合口部１７には、垂直軸１２用の一対の軸孔１８が形成されている。
【００１８】
しかして、取付け受け座１１は、嵌合口部１７から取付け基板部１５に至って貫通状態の角筒状に形成され、図６で示すように前記取付け基板部１５の１つの内壁部１５ａはやや肉厚状に形成されている。そして、内壁部１５ａの内壁面は、嵌合口部１７の奥側からラッチ９側の内側開口に至るまで弧状であり、該内側開口を多少塞いでいる。
【００１９】
また前記嵌合口部１７の上・下壁１７ａ、１７ｂの取付け受け座１１の取付け基板部１５寄りの端部には、凹所状の対向溝１９、１９がそれぞれ形成され、これらの対向溝１９、１９は前記取付け基板部１５に直交している。そして、上下の対向溝１９、１９の内壁底面には、図８で示すように取付け基板部１５に対して平行の突起状係合部２０、２０がそれぞれ所要間隔を有して複数個設けられている。
【００２０】
次に操作部材１０の特徴は、例えば図５に良く示されている。そこで、図５を基準にすると、１０ａは前述したように長板状操作部で、この操作部１０ａの内壁面の一端（右）部には、上下に所要間隔を有して水平方向の突起板２１が一対設けられている。これら上下の突起板２１は、平常時に於いて、操作部材１０が脱衣室側に回転しないように前記嵌合口部１７に摺動自在に設けられたストッパー片５０に当接する機能及び外観上化粧板としての美的機能を発揮する。
【００２１】
したがって、上下の突起板２１は、本実施例では操作部１０ａの内壁面からそれぞれ水平状態に突出する化粧板部２１ａ、２１ａと、これらの化粧板部２１ａ、２１ａの端部寄りの部位から取付け受け座１１の取付け基板部１５の方向へと延びる突起部２１ｂとを有する。
【００２２】
２２は上下の突起板２１、２１内に位置するように操作部１０ａの内壁面に突設され、かつ、取付け受け座１１の少なくとも嵌合口部１７に嵌め込まれる（嵌合する）ケース状回転部である。この回転部２２は、形状的には、操作部１０ａの内壁面の一端部から人間の手首状に延びる連設支持部２３と、この連設支持部部２３にさらに拳状に連設し、かつ、ラッチ９を連動させるためのアーム状駆動片３０の基端部３０ａ及び操作部材１０を復帰させるためのバネ部材１３を略収納する一部開口２４のケース状部２５とから成る。
【００２３】
しかして、前記ケース状部２５の垂直壁部２５ａに交差方向に対向連設する上下の段差状水平板部２５ｂ、２５ｂの中央部には、垂直軸１２用の枢支孔３２、３２が形成されている。また上下の水平板部２５ｂ、２５ｂの内壁面の適宜箇所には、バネ部材１３の形状を考慮し、該バネ部材１３の上下のリング状部１３ａ、１３ａが合理的に位置すべき収納空間形成用のアングル状段差部２５ｃ、２５ｃがその内壁面に沿って形成されている。そして、ケース状部２５の適宜部位（例えば垂直壁部２５ａの側端部）には、バネ部材１３の下端部１３ｂを係止する係合切欠部２６が形成されている。
【００２４】
次に操作部材１０を復帰させるバネ部材１３及びラッチ９を出没させる駆動片３０について説明する。バネ部材１３は、図６で示すように駆動片３０の基端部３０ａに形成された垂直軸孔３５に、その上下のリング状部１３ａ、１３ａが合うように該駆動片３０に添設した状態で操作部材１０の回転部２２内に組込まれる。その際、下端部１３ｂは回転部２２の係合切欠部２６に係止され、一方、上端部１３ｃは、取付け受け座１１の内壁面に圧接する。また上下のリング状部１３ａ、１３ａを結ぶコ字型状の中途部１３ｄは、駆動片３０のアーム状駆動部３０ｂの一側（垂直）面に当接する。そして、アーム状駆動部３０ｂの先端部は取付け受け座１１の内側開口から突出し、図１０で示すようにラッチ出没機構Ｙを構成する回転レバー（被駆動片）４０に係合する。
【００２５】
ここで、図１０を参照にラッチ出没機構Ｙを構成する各部材を簡単に説明する。４１はラッチ９をフロント板４２から常時突出するように付勢するラッチバネ、４３はラッチバネ４１の一端部を受けるバネ受け板、４４はバネ受け板４３と回転レバー４０との間に介在するＬ字型の係合回転片で、この係合回転片４４の一端部４４ａはラッチ９の後端部に形成、或いは設けたラッチ係合部４５に係合する。また係合回転片４４の他端部４４ｂは回転レバー４０に係合する。
【００２６】
最後に弾性のストッパー片５０について説明する。ストッパー片５０は、平常時に於いて、操作部材１０が脱衣室Ｂ側に回転しないように規制するストッパー機能を有し、本実施例では取付け受け座１１の嵌合口部１７に水平方向へと摺動可能に設けられている。
【００２７】
しかして、本実施例のストッパー片５０は、図４で示すように上下に係合爪片５２、５２を有する端面リップミゾ形状の弾性係脱部材であり、前述した取付け受け座１１の嵌合口部１７の対向溝１９にそれぞれ設けた上下の係合部２０、２０に対して係脱自在である。なお、前記係合爪片５２、５２の先端部は、対応する係合部２０が水平棒状の突起であるため、弧状に切欠されている。
【００２８】
上記構成に於いて、平常時、浴室ドアＸを浴室Ａ側に開けようとする場合には、図９で示すように操作部材１０の操作部１０ａを中扉４側に押す。この場合操作部材１０は、その突起板２１の化粧板部２１ａの一端部がストッパー片５０の側壁面に当る所まで回転する。つまり、平常時に於いては、図２及び図３で示すように前記突起板２１の化粧板部２１ａの一端部は、ストッパー片５０から離れているので、操作部材１０を中扉４側にプッシュすることができる。
【００２９】
しかして、操作部材１０がバネ部材１３のバネ力に抗して垂直軸１２を支点に内側方向へ水平回転すると、操作部材１０のケース状回転部２２に支持されるように設けられたアーム状駆動片３０の先端部は、図１０で示すように矢印方向に移行する。これにより、ラッチ出没機構Ｙを構成する回転レバー４０及び係合回転片４４は、それぞれ矢印方向（時計／反時計方向）に回転し、その結果、ラッチ９はラッチ案内板４６に案内され、かつ、ラッチバネ４１のバネ力に抗して収没する。したがって、浴室ドアＸをそのまま開放することができる。
【００３０】
一方、緊急時、浴室ドアＸの中扉４をドア本体３から開放する場合には、まず係合手段６の係止片７を係合受け片８から外し、また図８の矢印で示すようにストッパー片５０を手動で取付け受け座１１の取付け基板部１５側へとスライドさせる。この時ストッパー片５０は弾性係脱部材であるため、多少外拡変位を繰り返し、操作部材１０側の係合部２０から取付け基板部１５側の係合部２０へと移行する。その結果、ストッパー片５０が操作部材１０の突起板２１の突起部２１ｂに対して逃げた状態となり、図１１で示すように操作部材１０を外方向（脱衣室Ｂ側）に引き寄せることができる。
【００３１】
そこで、図１２で示すように中扉４の把手４ａに手（例えば右手）を掛け、中扉４を手前側に引く。この時、他方の手（例えば左手）を操作部材１０の操作部１０ａの内側に差し入れ、外方向に引き寄せる。操作部材１０は他方の手で外方向に引き寄せられると、バネ部材１３のバネ力に抗して水平移転し、中扉４から離れる。したがって、このようにドア本体３に対して中扉４を開放する時には、操作部材１０は全く障害にならない。そして、中扉４を所望状態まで開放した後操作部１０ａから手を放すと、操作部材１０はバネ部材１３のバネ力により復帰する。
【００３２】
【実施例】
まず第１実施例に於いて、係合手段６を構成するバー状係止片７と鉤状係合受け片８の取付け位置は逆であっても良い。また操作部材１０を復帰させるバネ部材１３は、１本のバネ線材で構成し、操作部材１０をいずれの方向（中扉側と脱衣室側）にそれぞれ水平回転（プッシュとプル）させても復帰力が働くようにしているが、設計如何によっては２本のバネ線材で構成しても良い。また上下の対向溝１９内に設けた突起状係合部２０は、それぞれ１個づつであっても良い。
【００３３】
次に図１３及び図１４を参照に本発明の第２実施例について説明する。なお、この第２実施例の説明に当たって、前述した第１実施例と同一構成の部分には、同一又は同様の符号を付し、重複する説明を省略する。
【００３４】
まずこの第２実施例は、ストッパー片５０Ａを水平方向へと移動させる際に、該ストッパー片５０Ａが嵌合口部１７Ａに上下動可能に設けた複数個の係合部材２０Ａに対し、スムースに係脱することができることを目的とする。この第２実施例のストッパー片５０Ａは、第１実施例のストッパー片５０のように必ずしも弾性部材である必要はない。
【００３５】
しかして、前記係合部材２０Ａは、各対向溝１９Ａにそれぞれ内装された小バネ６１により常時外（係合）方向に付勢され、この実施例では嵌合口部１７Ａの上・下壁１７ａ、１７ｂにそれぞれ形成された対向溝１９Ａの内壁底面部に係止される係合フランジ部２０ａと、この係合フランジ部２０ａに連設する係合突起部２０ｂとから成る。そして、各係合部材２０Ａの係合突起部２０ｂは、図１３で示すようにストッパー片５０Ａの係合爪片５２にそれぞれ係合する。
【００３６】
上記構成に於いては、ストッパー片５０Ａを水平方向へと移動させると、上下の係合部材２０Ａはそれぞれ小バネ６１のバネ力に抗して嵌合口部１７Ａの内側方向へと後退する。したがって、上述した発明の目的を達成することができる。
【００３７】
【発明の効果】
以上の説明から明らかなように、本発明にあっては次に列挙するような効果がある。
（１）緊急時に係合手段の係合状態を解除させた救助用中扉を、そのままの位置から脱衣室側に水平回転させて開放することができる。
（２）平常時に操作部材を中扉側にプッシュするとラッチが操作部材の連動してフロント面に収没し、一方、緊急事態発生時に操作部材を脱衣室側にプル（引き寄せ）すると、ラッチが操作部材に連動しないで、操作部材のみが水平回転する。したがって、操作部材を通常は普通一般のレバーハンドルとして使用し、一方、緊急時には中扉をスムースに開放する手段として使用することができる。
（３）レバー状操作部材を簡単にドア本体の取付け受け座に組込むことができると共に、操作部材をいずれの方向（中扉側と脱衣室側）にそれぞれ水平回転（プッシュとプル）させてもバネ部材のバネ力により浴室ドアの外壁面に対向する位置へと復帰する。
（４）平常時には操作部材が脱衣室側に回転しないので、使用上の不便さを感じさせない。そして、緊急時にはストッパー片をスライド操作して操作部材の回転規制を容易に解消させることができる。
（５）請求項３に記載の発明は、ストッパー片５０Ａを水平方向へとスムースに移動させることができると共に、移動させた後もストッパー片５０Ａを所定の箇所に確実に停止させることができる。
【図面の簡単な説明】
図１乃至図１２は本発明の第１実施例である。図１３及び図１４は本発明の第２実施例である。
【図１】第１実施例を用いた発明の実施の形態を示す概略説明図。
【図２】主要部（取付け受け座、操作部材、ストッパー片）の斜視図。
【図３】主要部を平面からの説明図。
【図４】主要部の分解斜視図。
【図５】主要部である操作部材の斜視からの概略説明図。
【図６】主要部である取付け受け座、、バネ部材、駆動片の概略説明図。
【図７】概略断面説明図。
【図８】主要の概略断面説明図。
【図９】平常時に於いて、操作部材を中扉側にプッシュできる旨の説明図。
【図１０】操作部材に組込まれた駆動片３０とラッチの連動関係を示す概略説明図。
【図１１】緊急時に於いて、操作部材を脱衣室側にとプルできる旨の説明図。
【図１２】中扉を開放する場合に於ける操作部材との関係を示す概略説明図。
【図１３】第２実施例の要部を示す概略断面説明図。
【図１４】要部を斜視から見た説明図。
【符号の説明】
Ｘ…浴室ドア、１…ドア用枠、３…ドア本体、４…中扉、５…開口部、６…係合手段、９…ラッチ、１０、１０Ａ…操作部材、１０ａ…操作部、１１、１１Ａ…取付け受け座、１３…バネ部材、１７、１７Ａ…嵌合口部、１７ａ…上壁、１７ｂ…下壁、１９、１９Ａ…対向溝、２０…係合部、２０Ａ…係合部材、２０ａ…係合フランジ部、２０ｂ…係合突起部、２１…突起板、２１ａ…化粧板部、２１ｂ…突起部、２２…回転部、２４…一部開口、２５…ケース状部、３０…駆動片、Ｙ…ラッチ出没機構、４１…ラッチバネ、４４…係合回転片、５０、５０Ａ…ストッパー片、５２…係合爪片、６１…小バネ。
【図１】
0004049903.tif 000002
【図２】
0004049903.tif 000003
【図３】
0004049903.tif 000004
【図４】
0004049903.tif 000005
【図５】
0004049903.tif 000006
【図６】
0004049903.tif 000007
【図７】
0004049903.tif 000008
【図８】
0004049903.tif 000009
【図９】
0004049903.tif 000010
【図１０】
0004049903.tif 000011
【図１１】
0004049903.tif 000012
【図１２】
0004049903.tif 000013
【図１３】
0004049903.tif 000014
【図１４】
0004049903.tif 000015